(57)【特許請求の範囲】
【請求項１】
フック部と、このフック部の基端に連設されて衣服の襟形状を保持する襟支持部とを有する衣料用ハンガーにおいて、
前記襟支持部は、衣服の台襟の側部寄りの前方部分および後方部分が当接する、左右一対の台襟側部受け部と、この左右一対の台襟側部受け部の内側間に連設されて衣服の台襟後部に当接する、幅方向の中央部が前記フック部よりも後方に突出するように湾曲した台襟後部受け部とを有し、
前記台襟側部受け部は、衣服の台襟の側部寄りの前方部分が当接する前方突出部と、この前方突出部の幅方向の中間部の縦形帯状の部分が後方に突出するように形成され、衣服の台襟の側部寄りの後方部分が当接する後方突出部とを有していることを特徴とする衣料用ハンガー。
【請求項２】
前記襟支持部の両側には、衣服の肩部を支持する左右一対の肩支持部が連設されている請求項１記載の衣料用ハンガー。
【請求項３】
前記襟支持部の下部には、前記襟支持部に掛けられたシャツ類の両肩部、袖部および胴体側部を背中側に折り曲げるための折り畳み芯板を兼ねた長方形状の枠体が連設されている請求項１記載の衣料用ハンガー。
【請求項４】
前記襟支持部は、複数個重ねたときに前後の襟支持部の凹凸が相互に入り込む形状である請求項１から３のいずれかの項に記載の衣料用ハンガー。
【発明の詳細な説明】
【技術分野】
【０００１】
本発明は、上着やシャツ類の襟部の形崩れを解消した衣料用ハンガーに関する。
【背景技術】
【０００２】
まず、本明細書において、「襟部」とは、図８に示すように、ワイシャツＹの場合、台襟２１と表襟（襟羽根とも言われる。）２２全体を示しており、ハンガーの各部が接する部分を、図示のように台襟後部２１ａ、台襟側部２１ｂ、台襟前部２１ｃと称する。また、台襟側部２１ｂと肩基部２４の接続部をつなぎ部２３と称する。
【０００３】
クリーニング店から仕上がってくる背広やブレザー等の上着、あるいはワイシャツ等のシャツ類は、顧客が取りに来るまで、保管のためにハンガーに吊されている。このようなクリーニング店で使用するハンガー（以下、「クリーニング用ハンガー」と称することがある。）は、ハンガーの価格をクリーニング代金に上乗せしにくいため、極力安価にする必要がある。
【０００４】
クリーニング用ハンガーとして、旧来は、針金で作ったハンガーが多用されているが、針金は細く厚みが無いため、上着を吊しておくと襟や肩の部分が前後に折れてしまい、形崩れするという問題があった。クリーニング店から引き取った衣料は、すぐ着用しない場合も多く、特に、衣替えの時に出した衣料は、次の季節まで長い間カバーを被せたまま、または、カバーを外してクローゼット内に吊しておくことが多い。そうすると、襟や肩の部分だけではなく、衣料の前、後の部分が弛んで皺が付き、着用したときに皺が取れにくいという問題があった。
【０００５】
ところで、針金製のハンガーでは、ほとんどが家庭で一定期間使用後にゴミとして廃棄され、再利用が困難であったが、再利用や回収可能なプラスチックハンガーが普及してきている。
【０００６】
一般的なプラスチックハンガーは、ポリプロピレン等のプラスチックで一体成形され、厚みはおよそ７ｍｍ程度の扁平形状で、ハンガーを水平方向に置いたときに、垂直に積み重ねることができる。しかし、線径が２〜３ｍｍ程度の針金ハンガーほどではないにしても、長期間衣服を掛けておくと形崩れや皺が生じやすいことは避けられない。
【０００７】
このような観点から、クリーニング用ハンガーにおいて形崩れや皺が生じにくい立体ハンガーが各種提案されている。
【０００８】
特許文献１には、フック部とハンガー本体とを有するハンガーにおいて、フック部とハンガー本体との間に、台襟後部から台襟側部にわたるカーブにならって滑らかに湾曲した湾曲部を長手方向の両側に有する襟形状保持部を形成した襟形状保持立体ハンガーが記載されている。
【０００９】
しかし、この特許文献１に記載されたハンガーでは、台襟後部から台襟側部にかけては襟の形状を保持するが、ワイシャツを掛けたハンガーを多数重ねて圧迫すると、ワイシャツの襟部前後が入り込み、襟の形状が保持できずにつぶれてしまう。
【００１０】
この問題を解消すべく、特許文献２には、フック部とハンガー本体とを有するハンガーにおいて、フック部とハンガー本体との間に、当該フック部とハンガー本体とをつなぐ中央の襟受け部本体である連設板部と、この連設板部に形成され、台襟後部が当接するように後方に凸である少なくとも１つの第１湾曲部と、第１湾曲部の左右の端部に先端部が連設され、基端部が前記ハンガー本体に連設され、先端部と基端部の間が、台襟前部の両側が当接するように前方に凸である左右一対の第２湾曲部とを備えている襟形状保持立体ハンガーが記載されている。
【００１１】
さらに、特許文献３には、衣服を支持するための衣服支持部と、該衣服支持部の略中央上部に連設された襟保護部と、該襟保護部の略中央上部に連設されたフック部と、を有するハンガーにおいて、襟保護部を、衣服支持部に対して任意の角度だけハンガーの正面側に傾けて連設し、フック部は、襟保護部に鉛直方向に向けて連設したハンガーが記載されている。
【先行技術文献】
【特許文献】
【００１２】
【特許文献１】特開２００２−３６０９９５号公報
【特許文献２】特開２００８−１９４４４０号公報
【特許文献３】実用新案登録第３１４４４５３号公報
【発明の概要】
【発明が解決しようとする課題】
【００１３】
前掲の特許文献２では、第１湾曲部の左右の端部に、衣服の台襟前部の両側が当接するように前方に凸である左右一対の第２湾曲部が設けられているが、台襟の両側は第１湾曲部と第２湾曲部のいずれにも当接しないため台襟の両側部の湾曲状態が保持されにくく、その結果、襟部の保持ができない。
また、特許文献３では、衣服の台襟後部は斜め方向に保持できるように工夫されているが、ワイシャツ本来の台襟後部の湾曲形状での保持がされにくく、台襟の両側部から台襟前部にかけては襟保護部の板の側部に線状に当接するため、シャツを掛けて圧迫すると襟部が潰れる恐れがある。
【００１４】
そこで本発明は、上着やシャツ類の台襟後部、台襟側部、台襟前部全体にわたって接することで、膨らんだ状態で保持でき、また積み重ねても襟部がつぶれず、多数のハンガーを積み重ねたときに、嵩張らず、輸送コストを低減することのできる衣料用ハンガーを提供することを目的とする。
【課題を解決するための手段】
【００１５】
前記課題を解決するため、本発明の第１の構成に係る衣料用ハンガーは、フック部と、このフック部の基端に連設されて衣服の襟形状を保持する襟支持部とを有する衣料用ハンガーにおいて、
前記襟支持部は、衣服の台襟の側部寄りの前方部分および後方部分が当接する、左右一対の台襟側部受け部と、この左右一対の台襟側部受け部の内側間に連設されて衣服の台襟後部に当接する、幅方向の中央部が前記フック部よりも後方に突出するように湾曲した台襟後部受け部とを有し、
前記台襟側部受け部は、衣服の台襟の側部寄りの前方部分が当接する前方突出部と、この前方突出部の幅方向の中間部の縦形帯状の部分が後方に突出するように形成され、衣服の台襟の側部寄りの後方部分が当接する後方突出部とを有していることを特徴とする。
【００１６】
この第１の構成においては、衣服の台襟の側部寄りの前方部分が当接する前方突出部と、この前方突出部の幅方向の中間部が後方に突出して衣服の台襟の側部よりの後方部分が当接する後方突出部とを有している台襟側部受け部によって、衣服の台襟側部から前方側にかけての部分および台襟側部から後方側にかけての部分は湾曲した状態が保持されるので、台襟後部、台襟側部、台襟前部の全体にわたって接することで、膨らんだ状態で保持でき、また積み重ねても襟部がつぶれない。
【００１７】
本発明の第２の構成は、第１の構成における襟支持部の両側に、衣服の肩部を支持する左右一対の肩支持部が連設されていることを特徴とする。これにより、上着やワイシャツ、シャツ類を立体状態で保管することができる。
【００１８】
本発明の第３の構成は、第１の構成における襟支持部の下部に、前記襟支持部に掛けられたシャツ類の両肩部、袖部および胴体側部を背中側に折り曲げるための折り畳み芯板を兼ねた長方形状の枠体が連設されていることを特徴とする。これにより、ワイシャツ等のシャツ類を襟部は立体状態で、袖部や裾部は折り畳んだ状態で保管することができる。
【００１９】
本発明の第４の構成は、第１の構成〜第３の構成における襟支持部が、複数個重ねたときに前後の襟支持部の凹凸が相互に入り込む形状であることを特徴とする。これにより、多数のハンガーを積み重ねたときに、嵩張らず、輸送コストを低減することができる。
【発明の効果】
【００２０】
本発明によれば、フック部と、このフック部の基端に連設されて衣服の襟形状を保持する襟支持部とを有する衣料用ハンガーにおいて、襟支持部は、衣服の台襟の側部寄りの前方部分および後方部分が当接する、左右一対の台襟側部受け部と、この左右一対の台襟側部受け部の内側間に連設されて衣服の台襟後部に当接する、幅方向の中央部が前記フック部よりも後方に突出するように湾曲した台襟後部受け部とを有し、台襟側部受け部は、衣服の台襟の側部寄りの前方部分が当接する前方突出部と、この前方突出部の幅方向の中間部の縦形帯状の部分が後方に突出するように形成され、衣服の台襟の側部寄りの後方部分が当接する後方突出部とを有しているので、これらの各部分が上着やシャツ類の台襟後部、台襟側部、台襟前部全体にわたって接することで、膨らんだ状態で保持でき、また積み重ねても襟部がつぶれず、多数のハンガーを積み重ねたときに、嵩張らず、輸送コストを低減することのできる衣料用ハンガーが提供される。
【図面の簡単な説明】
【００２１】
【図１】本発明の実施の形態１に係る衣料用ハンガーの正面側斜視図である。
【図２】本発明の実施の形態１に係る衣料用ハンガーの背面側斜視図である。
【図３】本発明の実施の形態１に係る衣料用ハンガーの正面図である。
【図４】本発明の実施の形態１に係る衣料用ハンガーの背面図である。
【図５】本発明の実施の形態１に係る衣料用ハンガーの右側面図である。
【図６】本発明の実施の形態１に係る衣料用ハンガーの平面図である。
【図７】本発明の第２実施の形態に係る衣料用ハンガーの斜視図である。
【図８】ワイシャツの部分名称を示す説明図である。
【発明を実施するための形態】
【００２２】
以下、本発明の実施の形態を、図面を参照しながら説明する。
＜実施の形態１＞
図１〜図６は本発明の実施の形態１を示すものであり、上着、シャツ類の襟部と肩部を保持するものである。
【００２３】
これらの図において、実施の形態１の衣料用ハンガー１０は、フック部１と、このフック部１の基端に連設されて衣服の襟形状を保持する襟支持部２と、衣服の肩部を支持する左右一対の肩支持部３とを有している。
【００２４】
襟支持部２は、図８に示す衣服の台襟２１の側部寄りの前方部分および後方部分が当接する、左右一対の台襟側部受け部４と、この左右一対の台襟側部受け部４の内側間に連設されて衣服の台襟後部２１ａ（図８参照）に当接する、幅方向の中央部がフック部１よりも後方に突出するように湾曲した台襟後部受け部５とを有する。台襟側部受け部４は、衣服の台襟２１（図８参照）の側部寄りの前方部分が当接する前方突出部４ａと、この前方突出部４ａの幅方向の中間部の縦形帯状の部分が後方に突出するように形成され、衣服の台襟２１（図８参照）の側部寄りの後方部分が当接する後方突出部４ｂとを有している。
【００２５】
衣料用ハンガー１０の全体は、ポリプロピレン等の熱可塑性合成樹脂で一体成形されている。衣料用ハンガー１０の材質としては、熱可塑性合成樹脂に限らず、他のプラスチック、紙、木材、金属材でもよく、鋳造、プレス加工、削り出し等製造方法も問わない。
【００２６】
この実施の形態１においては、衣服の台襟２１の側部寄りの前方部分が当接する前方突出部４ａと、この前方突出部４ａの幅方向の中間部の縦形帯状の部分が後方に突出するように形成され、衣服の台襟２１の側部寄りの後方部分が当接する後方突出部４ｂとを有している台襟側部受け部４によって、衣服の台襟側部２１ｂから前方側にかけての部分および台襟側部２１ｂから後方側にかけての部分は湾曲した状態が保持され、台襟後部２１ａ、台襟側部２１ｂ、台襟前部２１ｃ（図８参照）の全体にわたって接することで、膨らんだ状態で保持でき、また積み重ねても襟部がつぶれない。
【００２７】
また、クリーニング店等で、仕上がったワイシャツ等の衣料を衣料用ハンガー１０に掛けた状態で複数、重ねて圧迫すると、前方の衣料の襟の後部が、後方の衣料の襟の前部により押し付けられて前方の襟が変形する恐れがあるが、本発明の実施の形態１では、台襟側部受け部４は、前方突出部４ａの幅方向の中間部に後方突出部４ｂを有しているので、前方の衣料の襟の後部が後方の衣料の襟の前部により押さえ付けられて変形するのを、後方突出部４ｂにより抑制することになり、変形が防止される。
【００２８】
なお、襟支持部２は、衣服を掛けない空のハンガーを複数個重ねたときに前後の襟支持部２を構成する左右一対の台襟側部受け部４と台襟後部受け部５の凹凸が相互に入り込む形状としており、特に、前方突出部４ａの幅方向の中間部に、前方のハンガーの後方突出部４ｂが入り込み、その他の部分であるフック部１や肩支持部３はそれぞれ平らであるため、輸送のために梱包箱に多数のハンガーを積み重ねて収納したときに、嵩張らず、輸送コストや保管コストを低減することができる。
【００２９】
＜実施の形態２＞
次に、図７に示す実施の形態２について説明する。この実施の形態２に係る衣料用ハンガー２０は、ワイシャツ類の両肩部、袖部および胴体側部を背中側に折り曲げ、長方形の包装用袋に収納して納品する際の折り畳み芯板を兼ねた長方形状の枠体１３が連設されている衣料用ハンガーである。
【００３０】
この実施の形態２においても、実施の形態１と同様に、フック部１１の基端に襟支持部１２が設けられていて、図８に示す衣服の台襟２１の側部寄りの前方部分および後方部分が当接する、左右一対の台襟側部受け部１４と、この左右一対の台襟側部受け部１４の内側間に連設されて衣服の台襟後部２１ａ（図８参照）に当接する、幅方向の中央部がフック部１１よりも後方に突出するように湾曲した台襟後部受け部１５とを有する。台襟側部受け部１４は、衣服の台襟２１（図８参照）の側部寄りの前方部分が当接する前方突出部１４ａと、この前方突出部１４ａの幅方向の中間部の縦形帯状の部分が後方に突出するように形成され、衣服の台襟２１（図８参照）の側部寄りの後方部分が当接する後方突出部１４ｂとを有している。
【００３１】
この実施の形態２においては、シャツ類の台襟２１の側部寄りの前方部分が当接する前方突出部１４ａと、この前方突出部１４ａの幅方向の中間部の縦形帯状の部分が後方に突出するように形成され、衣服の台襟２１の側部寄りの後方部分が当接する後方突出部１４ｂとを有している台襟側部受け部１４によって、衣服の台襟側部２１ｂから前方側にかけての部分および台襟側部２１ｂから後方側にかけての部分は湾曲した状態が保持され、台襟後部２１ａ、台襟側部２１ｂ、台襟前部２１ｃ（図８参照）の全体にわたって接することで、膨らんだ状態で保持でき、また積み重ねても襟部がつぶれない。
【００３２】
さらに本実施の形態２では、枠体１３の周囲をガイドとして、シャツ類の側部の肩部と袖部を内側に折り込み、胴体側部を背中側に折り畳むことによって、タンスの引き出しや棚に収納できるようにコンパクトにできる。
【００３３】
なお、襟支持部１２は、シャツ類を掛けない空のハンガーを複数個重ねたときに前後の襟支持部１２の凹凸が相互に入り込む形状としており、その他の部分であるフック部１１や枠体１３はそれぞれ平らであるため、輸送のために梱包箱に多数のハンガーを積み重ねて収納したときに、嵩張らず、輸送コストや保管コストを低減することができる。
【産業上の利用可能性】
【００３４】
本発明は、上着やシャツ類の台襟部、襟の部分全体にわたって膨らんだ状態で保持でき、また衣類を掛けた多数のハンガーを重ねて圧迫しても襟部の変形やつぶれを防ぎ、さらに多数のハンガーを積み重ねたときに、嵩張らず、輸送コストを低減することのできる衣料用ハンガーとして、クリーニング業界のみならず、家庭やアパレル業界においても好適に利用することができる。
【符号の説明】
【００３５】
１０  衣料用ハンガー（実施の形態１）
１  フック部
２  襟支持部
３  肩支持部
４  台襟側部受け部
４ａ  前方突出部
４ｂ  後方突出部
５  台襟後部受け部
２０  衣料用ハンガー（実施の形態２）
１１  フック部
１２  襟支持部
１３  枠体
１４  台襟側部受け部
１４ａ  前方突出部
１４ｂ  後方突出部
１５  台襟後部受け部
【要約】
【課題】上着やシャツ類の台襟後部、台襟側部、台襟前部全体にわたって膨らんだ状態で保持でき、積み重ねても襟部がつぶれず、多数のハンガーを積み重ねたときに、嵩張らず、輸送コストを低減することのできる衣料用ハンガーを提供する。
【解決手段】フック部１と、フック部１の基端に連設されて衣服の襟形状を保持する襟支持部２とを有する衣料用ハンガーにおいて、襟支持部２は、衣服の台襟の側部寄りの前方部分および後方部分が当接する、左右一対の台襟側部受け部４と、台襟側部受け部４の内側間に連設されて衣服の台襟後部に当接する、幅方向の中央部がフック部１よりも後方に突出するように湾曲した台襟後部受け部５とを有し、台襟側部受け部４は、衣服の台襟の側部寄りの前方部分が当接する前方突出部４ａと、前方突出部４ａの幅方向の中間部が後方に突出して衣服の台襟の側部よりの後方部分が当接する後方突出部４ｂとを有している衣料用ハンガー。
【選択図】  図１【図１】
0005116890.tif 000002
【図２】
0005116890.tif 000003
【図３】
0005116890.tif 000004
【図４】
0005116890.tif 000005
【図５】
0005116890.tif 000006
【図６】
0005116890.tif 000007
【図７】
0005116890.tif 000008
【図８】
0005116890.tif 000009